(57)【要約】【課題】給水流量が少ない場合でも、注水すすぎ時のすすぎ効果の低下を防ぐことが可能な洗濯機を提供する。【解決手段】外枠内に配される外槽と回転可能に設けられるとともに洗濯物を収容する内槽と内槽内部に配置されるパルセータと内槽またはパルセータを駆動するモータと接続を切り替えるクラッチと給水を行う給水手段と排水する排水手段と制御する運転制御手段を具備し，前記運転制御手段は、前記給水手段から給水しながら撹拌を行うすすぎ動作の手順を複数持ち、給水流量を測定し、測定した給水流量によって、すすぎ動作を切り替えることを特徴とした洗濯機。【選択図】図６
2019097719.tif 000002
【特許請求の範囲】
【請求項１】
外枠内に配される外槽と，
前記外槽内に回転可能に設けられるとともに洗濯物を収容する内槽と，
前記内槽内部に配置されるパルセータと
前記内槽またはパルセータを駆動するモータと，
前記モータと内槽またはパルセータの接続を切り替えるクラッチと
前記内槽に給水を行う給水手段と
前記内槽に給水された水を排水する排水手段と
前記モータおよびクラッチおよび給水手段および排水手段を制御する運転制御手段を具備し，
前記運転制御手段は、前記給水手段から給水しながら撹拌を行うすすぎ動作の手順を複数持ち、前記給水手段のすすぎ動作での給水流量を測定し、測定した給水流量によって、
すすぎ動作を切り替えることを特徴とした洗濯機。
【請求項２】
請求項１に記載の洗濯機であって，
前記運転制御手段は、給水しながら撹拌するすすぎ動作時に、規定水位を超えた場合に排水を行い、排水を行った回数を計算し、排水が所定回数以下であれば、あらかじめ設定した追加のすすぎ動作を行うことを特徴とした洗濯機。
【請求項３】
請求項２に記載の洗濯機であって，
追加のすすぎ動作は撹拌を行わずに規定水位まで給水を行い、その後撹拌を行い撹拌終了後排水を行うことを特徴とした洗濯機。
【発明の詳細な説明】
【技術分野】
【０００１】
本発明は、洗濯機に関するものである。
【背景技術】
【０００２】
洗濯機は、槽内に水をためて攪拌動作を実行する洗い行程やすすぎ行程、脱水行程がある。すすぎ工程では、槽内の水を排水し、槽を高速回転させる中間脱水を行い、槽に水をためた後に撹拌を行う。この際に水がたまった状態で撹拌を行うためすすぎと、撹拌中に給水弁を開けてよりすすぎ効果の高い注水すすぎの主に2通りのすすぎ動作がある。注水すすぎにおいては給水の流量によってすすぎ効果が変わってくるため、特許３５３８８８９８号公報（特許文献１）に記載のように給水の流量により中間脱水の時間を延長する方法や特開平８−３８７９０号公報（特許文献２）に記載のように給水の流量により注水すすぎの回数を増加させる方法などがある。
【先行技術文献】
【特許文献】
【０００３】
【特許文献１】特許３５３８８８９８号公報
【特許文献２】特開平８−３８７９０号公報
【発明の概要】
【発明が解決しようとする課題】
【０００４】
しかし中間脱水の時間を延長する場合においては、洗濯にかかる時間の延長はわずかで済むが、使用者がのぞむすすぎ効果が得られない場合があり、すすぎ回数を増加させる場合では、洗濯にかかる時間および使用水量が大きく増加することが考えられる。
【０００５】
そこで本発明は、上記課題を鑑みて、給水量が少ない場合でも洗濯にかかる時間の延長を最低限にした上で、使用者の望むすすぎ効果を得られることのできる洗濯機を提供することを目的とする。
【課題を解決するための手段】
【０００６】
前記目的を達成するため，その一例として、給水の流量を測定し、その流量に応じて、注水すすぎが設定された時のみにすすぎの注水を行う時間を延長することを特徴とする。
【発明の効果】
【０００７】
本発明によれば、給水量が少ない場合でも洗濯にかかる時間の延長を最低限にした上で、使用者の望むすすぎ効果を得られることのできる洗濯機を提供することが出来る。
【図面の簡単な説明】
【０００８】
【図１】本発明の実施例の形態を示す洗濯機の構造図
【図２】本発明の実施例の形態を示すブロック図
【図３】従来の洗濯機における制御内容を示すフローチャート
【図４】従来の洗濯機における制御内容を示すフローチャート
【図５】本発明の実施例における制御内容を示すフローチャート
【図６】本発明の実施例における制御内容を示すフローチャート
【図７】撹拌時間とはすすぎの給水時間の関係
【発明を実施するための形態】
【０００９】
以下，実施例を、図面を用いて説明する。
【実施例１】
【００１０】
図１は本実施例の洗濯機の構造図である。
【００１１】
図１において，１は洗濯機の筐体である。筐体１内には外槽２が取り付けられている。外槽２内には内槽３が収納され，内槽３はメインモータ５と同軸に接続され、回転可能である。クラッチ１１は、メインモータ５と内槽３を固定して内槽３全体を回転させる、もしくは、パルセータ４と固定してパルセータを回転させるように切り替える目的で使用され、メインモータ５の上部に接続されている。
内槽３全体を回転させることで洗濯物の脱水動作を行い、パルセータ４を回転させることにより撹拌動作を行う。
【００１２】
外槽２には，給水ホース１５から給水弁１２およびソフナ弁１３を介して水道水が供給される。外槽２に溜まった水は，排水弁６を開けることで，排水ホース７を介して排水口８に排出できるようになっている。排水弁６の開閉は排水弁駆動用モータ９によって操作する。
【００１３】
図２は，本実施例の洗濯機のブロック図である。
【００１４】
洗濯機はマイクロコンピュータ１０４により制御され，操作パネルの操作スイッチ１３１の入力内容に応じて，負荷駆動回路１０３を介して，メインモータ１１１，循環ポンプ１１２，風呂水ポンプ１１３，給水弁１１４，排水弁１１５，ソフナ弁１１６，フタロック１１７を駆動させて洗濯動作を行う。
【００１５】
また，水位センサ１２１による水位監視，温度センサ１２２による温度監視，回転センサ１２３によるモータ回転速度の監視，揺れを検知して洗濯槽の外枠当りを防止するための安全レバー１２４，不揮発記憶メモリ１２５による運転設定や情報の記憶，LED表示回路１３２による運転状態の表示を行う。
【００１６】
電源１０１からはマイクロコンピュータ１０４および負荷駆動回路１０３，各センサなどへ電力が供給される。
【００１７】
図３は従来の洗濯機のすすぎ行程動作のフローを示したものである。
外槽２にたまった水を排水後、脱水を行う。脱水後に給水を行い、規定水位に達すると給水停止する。撹拌はすすぎの設定により、給水を行いながら撹拌する注水すすぎと、給水停止したまま撹拌をするためすすぎがある。
【００１８】
図４は従来の洗濯機の注水すすぎおよびためすすぎの動作を示すフローである。
注水すすぎは撹拌時間を設定し撹拌開始する。その後給水を開始し、撹拌しながら給水を行う。撹拌中に水位を検出し排水水位に達した後、排水弁を開き排水を開始する。排水停止水位に達した後、排水弁を閉じ排水を停止し、再度給水を開始する。以後給水および排水と撹拌を継続し、撹拌時間が経過すると給水を停止し、撹拌を終了し動作を終了する。
【００１９】
図５，６は本実施例における洗濯機のすすぎ行程動作のフローを示したものである。
外槽にたまった水を排水後、脱水を行う。脱水後に給水を行い、規定水位に達すると給水停止する。この際に規定水位に達するまでの時間Tを測定する。撹拌はすすぎの設定により、注水すすぎまたはためすすぎを行う。
ためすすぎについては、従来のためすすぎの動作と同じとする。
【００２０】
図６が本実施例における注水すすぎの動作例の１つを示す。
注水すすぎ開始時に撹拌時間１を設定し撹拌開始する。撹拌開始時に排水回数の値を０に設定し、撹拌時間１はすすぎの給水時間Tにより図７のように設定をする。図７は一つの例であり、設定値はこの限りではない。
【００２１】
その後給水を開始し、撹拌しながら給水を行う。撹拌中に水位を検出し排水水位に達した後、排水弁を開き排水を開始する。排水を開始する際に排水回数を＋１する。排水停止水位に達した後、排水弁を閉じ排水を停止し、再度給水を開始する。以後給水および排水と撹拌を継続し、撹拌時間１が経過すると排水回数を確認し排水回数がＮ回以上であれば、給水された量が十分であるとして撹拌を終了し、注水すすぎを終了する。
排水回数がＮ回未満であれば、次に示す追加すすぎを行う。
【００２２】
ここで、前記判定の基準である排水回数のＮ回は、予め実験を行って決定する。この実験では、排水の回数によるすすぎ性能（洗剤の残存量と糸くず付着量）を測定し、必要な性能が得られる排水回数を決めるものである。例えば、給水圧が最大の場合に５回の排水を行う洗濯機であれば、基準の回数Ｎ＝５回とする。
追加すすぎは撹拌を停止したまま、排水水位まで給水を行う。その後撹拌時間２を設定して撹拌時間２まで撹拌を行う。撹拌時間２が経過した後撹拌を停止し、排水回数を＋１し排水する。排水停止水位まで排水した後、排水を停止する。その時点で排水回数がＮ回未満であれば、再度追加すすぎを行う。排水回数がＮ回以上であれば注水すすぎを終了する。
【００２３】
本実施例においては、給水時間を測定することにより十分な注水すすぎを行うことが可能であると判定した場合には従来の注水すすぎとほぼ同じ動作を行い、注水すすぎ時間は伸びることが防止できる。それ以外の流量が少ないと判断できる場合には撹拌を行わずに給水のみを行うことによって、布の痛みを増やすことなくすすぎ効果を上げることが可能となる。
【符号の説明】
【００２４】
１：本体・外枠，    ２：外槽，          ３：内槽，    
４：パルセータ，    ５：メインモータ，  ６：排水弁，    
７：排水ホース，    ８：排水口，        ９：排水弁駆動用モータ，    
１０：制御基板，    １１：クラッチ，    １２：給水弁，    
１３：ソフナ弁，    １４：操作パネル，  １５：給水ホース，    
１６：安全レバー，    
１０１：電源，            １０２：オートオフリレー，  
１０３：駆動回路，        １０４：マイクロコンピュータ，  
１１１：メインモータ，    １１２：循環ポンプ，  
１１３：風呂水ポンプ，    １１４：給水弁，      
１１５：排水弁，          １１６：ソフナ弁，    
１１７：フタロック，  
１２１：水位センサ，      １２２：温度センサ，  
１２３：回転センサ，      １２４：安全レバー，  
１２５：不揮発性記憶装置，
１３１：操作スイッチ，    １３２：LED表示回路，  
【図１】
2019097719.tif 000003
【図２】
2019097719.tif 000004
【図３】
2019097719.tif 000005
【図４】
2019097719.tif 000006
【図５】
2019097719.tif 000007
【図６】
2019097719.tif 000008
【図７】
2019097719.tif 000009